(57)【特許請求の範囲】
【請求項１】
座部（１１）と左右一対の側壁（９）とを有する座席本体（３）を備え、この座席本体（３）の左右各側壁（９）は座部（１１）の前方側へと延出されていると共に該側壁（９）間の前端側に左右側壁（９）を連結するガード壁（７ｃ）を備え、
前記座部（１１）の前方側に脚載せ部材（４）を設け、この脚載せ部材（４）は、底部壁（１６）と、この底部壁（１６）の左右両端から上方側に延びる左右側部壁（１７）と、前記底部壁（１６）の前端から上方側に延びる前部壁（１８）とを備えてなると共に、底部壁（１６）の後端側が前記座部（１１）に枢軸（２１）を介して枢支されていて第１姿勢と該第１姿勢から前記枢軸（２１）回りに下方に揺動した第２姿勢とに姿勢変更自在とされ、第１姿勢にて、ガード壁（７ｃ）の下端側と脚載せ部材（４）の底部壁（１６）の前端側との間が脚載せ部材（４）の前部壁（１８）によって前方側から覆われるよう構成された自転車用幼児座席において、
前記脚載せ部材（４）を第２姿勢にした際に、前記ガード壁（７ｃ）の下端側と脚載せ部材（４）の底部壁（１６）の前端側との間が、脚載せ部材（４）の前部壁（１８）によって前方側から覆われるように構成されていることを特徴とする自転車用幼児座席。
【請求項２】
前記脚載せ部材（４）の前部壁（１８）の上部（１８ｂ）が、側部壁（１７）の前端よりも上方側に延出されていて第１姿勢時に前記ガード壁（７ｃ）と前後方向に関してオーバーラップすることを特徴とする請求項１に記載の自転車用幼児座席。
【請求項３】
前記ガード壁（７ｃ）は後傾状とされ、座席本体（３）の左右の側壁（９）の上縁（１０）は、側面視において、座席本体（３）の前後方向中央側からガード壁（７ｃ）の上端にわたって、前方に行くにしたがって下方に移行する傾斜状とされていることを特徴とする請求項１又は２に記載の自転車用幼児座席。
【請求項４】
前記脚載せ部材（４）の前部壁（１８）の下部側から上部にかけて、前記枢軸（２１）の軸心を中心とする円弧状に形成されていることを特徴とする請求項３に記載の自転車用幼児座席。
【発明の詳細な説明】
【技術分野】
【０００１】
本発明は、自転車用幼児座席に関するものである。
【背景技術】
【０００２】
従来、自転車の前部に装着される自転車用幼児座席が、特許文献１にて開示されている。
この幼児座席は、座部と左右一対の側壁とを有する座席本体と、前記座部の前方側に配置された脚載せ部材とを備えている。
前記座席本体の左右各側壁は座部の前方側へと延出されている。
【０００３】
また、座席本体の側壁間の前端側には、左右側壁を連結するガード壁が設けられている。
前記脚載せ部材は、底部壁と、この底部壁の左右両端から上方側に延びる左右側部壁と、前記底部壁の前端から上方側に延びる前部壁とを備えてなる。
また、脚載せ部材の底部壁の後端側は前記座部に枢軸を介して枢支されており、該脚載せ部材は、第１姿勢と該第１姿勢から前記枢軸回りに下方に揺動した第２姿勢とに姿勢変更自在とされている。
【先行技術文献】
【特許文献】
【０００４】
【特許文献１】特開２００６−１８２１９９号公報
【発明の概要】
【発明が解決しようとする課題】
【０００５】
前記従来の脚載せ部材にあっては、第１姿勢では、ガード壁の下端側と脚載せ部材の底部壁の前端側との間は、脚載せ部材の前部壁によって前方側から覆われているが、第１姿勢から下方に揺動させた第２姿勢では、ガード壁の下端と脚載せ部材との間が大きく開口するように構成されている。
第２姿勢においてガード壁の下端側と脚載せ部材との間が大きく開口するようになっていると、幼児座席を自転車の前部に装着すると共に脚載せ部材を第２姿勢にして自転車を走行させると、ガード壁の下端と脚載せ部材との間から幼児座席内に風が多量に入ってくることとなる。
【０００６】
このため、冬期などにおいて、ガード壁の下端と脚載せ部材との間から幼児座席内に吹き込んでくる多量の寒風が幼児座席に乗せた子供にあたるという問題がある。
本発明は、前記問題を解決することを課題とする。
【課題を解決するための手段】
【０００７】
前記技術的課題を解決するために本発明が講じた技術的手段は、座部と左右一対の側壁とを有する座席本体を備え、この座席本体の左右各側壁は座部の前方側へと延出されていると共に該側壁間の前端側に左右側壁を連結するガード壁を備え、
前記座部の前方側に脚載せ部材を設け、この脚載せ部材は、底部壁と、この底部壁の左右両端から上方側に延びる左右側部壁と、前記底部壁の前端から上方側に延びる前部壁とを備えてなると共に、底部壁の後端側が前記座部に枢軸を介して枢支されていて第１姿勢と該第１姿勢から前記枢軸回りに下方に揺動した第２姿勢とに姿勢変更自在とされ、第１姿勢にて、ガード壁の下端側と脚載せ部材の底部壁の前端側との間が脚載せ部材の前部壁によって前方側から覆われるよう構成された自転車用幼児座席において、
前記脚載せ部材を第２姿勢にした際に、前記ガード壁の下端側と脚載せ部材の底部壁の前端側との間が、脚載せ部材の前部壁によって前方側から覆われるように構成されていることを特徴とする。
【０００８】
また、前記脚載せ部材の前部壁の上部は、側部壁の前端よりも上方側に延出されていて第１姿勢時に前記ガード壁と前後方向に関してオーバーラップするように構成するのがよい。
また、前記ガード壁は後傾状とされ、座席本体の左右の側壁の上縁は、側面視において、座席本体の前後方向中央側からガード壁の上端にわたって、前方に行くにしたがって下方に移行する傾斜状とされているのがよい。
【０００９】
また、前記脚載せ部材の前部壁の下部側から上部にかけて、前記枢軸の軸心を中心とする円弧状に形成されているのがよい。
【発明の効果】
【００１０】
本発明によれば、幼児座席を自転車の前部に装着すると共に脚載せ部材を第２姿勢にして自転車を走行させているときにおいて、座席本体のガード壁下端と脚載せ部材の底壁前端との間から幼児座席内に前方からの風が多量に吹き込んでくるのを防止することができる。
【図面の簡単な説明】
【００１１】
【図１】幼児座席の側面図である。
【図２】幼児座席の斜視図である。
【図３】幼児座席の前部の平面図である。
【図４】脚載せ部材が閉じた状態の幼児座席前部の側面断面図である。
【図５】脚載せ部材が開いた状態の幼児座席前部の側面断面図である。
【図６】ロック位置におけるロック装置の側面断面図である。
【図７】（ａ）はロック位置におけるロック装置の各部の位置関係を示す平面図、（ｂ）はロック位置における通孔とロック部材との関係を示す平面一部断面図である。
【図８】係止位置におけるロック装置の側面断面図である。
【図９】（ａ）は係止位置におけるロック装置の各部の位置関係を示す平面図、（ｂ）は係止位置における通孔とロック部材との関係を示す平面一部断面図である。
【図１０】ロック解除位置におけるロック装置の側面断面図である。
【図１１】（ａ）はロック解除位置におけるロック装置の各部の位置関係を示す平面図、（ｂ）はロック解除位置における通孔とロック部材との関係を示す平面一部断面図である。
【図１２】ロック装置の分解斜視図である。
【図１３】操作部材の下方側からみた斜視図である。
【発明を実施するための形態】
【００１２】
以下、本発明の実施の形態を図面を参照して説明する。
図１、図２において、１は自転車の前部に着脱自在に装着される自転車用幼児座席であり、該幼児座席１は本実施形態では荷籠として使用（兼用）できるように構成されている。
本実施形態では、幼児座席１は、左右に立上がり部２ａを備えた自転車のハンドルバー２の前記左右立上り部２ａの間に配置され、該幼児座席１の底部が自転車のハンドルステム等にボルト等によって取り付けられるタイプのものを例示している。
【００１３】
この幼児座席１は、座席本体３と、この座席本体３の前部の下部側に設けられた脚載せ部材４と、座席本体３の後端側に設けられたヘッドレスト５と、座席本体３の前上部に設けられたハンドル６とを備えている。
前記座席本体３は、該座席本体３の前部側を構成する前構成体７と、座席本体３の後部側を構成する後構成体８とから主構成されている。
【００１４】
前構成体７は、左右の側壁７ａと、この左右の側壁７ａ間の後部下端側に該左右側壁７ａを連結するように設けられた底壁７ｂと、左右の側壁７ａ間の前端側に該左右側壁７ａを連結するように設けられたガード壁７ｃとを有する。
後構成体８は、左右の側壁８ａと、この左右側壁８ａ間の下端側に左右側壁８ａを連結するように設けられた底壁８ｂと、左右側壁８ａ間の後端側に該左右側壁８ａを連結するように設けられた背面壁８ｃとを有する。
【００１５】
前構成体７の左右側壁７ａの上部後端側と後構成体８の左右側壁８ａの上部前端側とが連結されていると共に、前構成体７と後構成体８の底壁７ｂ，８ｂ同士が連結されている。
前構成体７の左右側壁７ａと後構成体８の左右側壁８ａとで座席本体３の左右の側壁９が構成され、前構成体７の底壁７ｂと後構成体８の底壁８ｂとで幼児座席１の座部１１が構成され、後構成体８の背面壁８ｃで幼児座席１の背もたれ部が構成されている。
【００１６】
したがって、座席本体３は、座部１１と背もたれ部８ｃとを有する。
なお、前構成体７と後構成体８とを一体形成することにより座席本体３を構成してもよい。
前構成体７の左右側壁７ａの後部外面側には前後一対のリブ１３が設けられ、この前後リブ１３間に自転車のハンドルバー２の立上り部２ａが嵌合されることで幼児座席１が位置決めされる。
【００１７】
前記ヘッドレスト５は、後構成体８の背面壁８ｃに高さ調整自在に設けられている。
該ヘッドレスト５は、図例では、上下調整範囲の最下端位置に位置させた状態を示しており、荷籠として使用する場合は、通常、この位置にする。
前構成体７の左右側壁７ａの前部は底壁７ｂ（座部１１）よりも前方側に延出状とされている。
【００１８】
前記ガード壁７ｃは、上方に行くに従って後方に移行する傾斜状（後傾状）とされている。また、該ガード壁７ｃは、若干ではあるが、左右方向中央から左右方向の端部に行くに従って後方に移行する湾曲状に形成されている。
前構成体７の左右の側壁７ａの上縁１０は、側面視において、後端側からガード壁７ｃの上端にかけて、前方に行くにしたがって下方に移行する傾斜状であって、且つ、前上方に向けて凸となる湾曲状に形成されている。
【００１９】
なお、ガード壁７ｃ前面の上下方向に対する傾斜は、前構成体７の側壁７ａ上縁１０の傾斜よりも急傾斜とされている。
前構成体７の左右側壁７ａの前部の下縁は、ガード壁７ｃ下端から底壁７ｂ前端にかけて下方に行くに従って後方に移行する傾斜状とされている。
座席本体３の座部１１の前方側（前構成体７の底壁７ａ前端とガード壁７ｃの下端との間で且つ前構成体７の左右側壁７ａの下端間）は下方に向けて開放状の開口１４とされている。
【００２０】
図３〜５に示すように、この開口１４の左右方向中央側には、座部１１とガード壁７ｃとを連結する壁部１５（これを連結壁という）が設けられている。
この連結壁１５は、後部から前後方向中途部にかけて前後方向直線状とされ、前部が上方に行くに従って前方に移行する傾斜状とされている。
連結壁１５の後端部は座部１１の前端側に連結され、連結壁１５の前端部はガード壁７ｃの後面下端側に連結されている。
【００２１】
前記脚載せ部材４は、座部１１の前方側に配置されており、座席本体３の前記開口１４の下方側に位置する底部壁１６と、この底部壁１６の左右両端から上方側に延びる左右側部壁１７と、前記底部壁１６の前端から上方側に延びる前部壁１８とを備えてなる。
底部壁１６の後端側には、左右一対の枢支部１９が設けられている。
左右の枢支部１９は、座部１１の前端側に前方から後方に向けて凹設された凹所２０内に挿入されていると共に、座部１１と枢支部１９とにわたって挿通された枢軸２１によって座部１１に左右方向の軸心回りに回動自在に連結されている。
【００２２】
これによって、脚載せ部材４はその底部壁１６の後端側が前記座部１１に枢軸２１を介して枢支されていて該枢軸２１回りに上下に揺動自在とされている。
脚載せ部材４の底部壁１６の左右方向中央側には、上方に向けて突出する突出部２２が前後方向にわたって設けられている。
この突出部２２の上面２２ａは平坦面とされていると共に前記連結壁１５の直線状部分の下面に接当可能とされており、該突出部２２の上面２２ａが連結壁１５の下面に接当することにより、脚載せ部材４の上方への揺動が規制されるよう構成されている。
【００２３】
前記座部１１の下面の前端側には、前記枢支部１９の後方側に位置するストッパ２３が下方突出状で且つ左右方向に設けられている。
このストッパ２３に脚載せ部材４の底部壁１６後端側の接当面２４が接当することにより、脚載せ部材４の下方への揺動が規制されるよう構成されている。
したがって、脚載せ部材４は、突出部２２の上面２２ａが連結壁１５の下面に接当した第１姿勢（図１の実線及び図４参照）と、該第１姿勢から前記枢軸２１回りに下方に揺動して前記接当面２４が前記ストッパ２３に接当した第２姿勢（図１の仮想線及び図５参照）とに姿勢変更自在とされている。
【００２４】
脚載せ部材４の左右の側部壁１７は前構成体７の左右側壁７ａの左右方向外方側に位置しており、その上端側が、第１姿勢において、前構成体７の左右側壁７ａの前下端側と左右方向に関してオーバーラップしている。
脚載せ部材４の前部壁１８は、その下部が１８ａが左右側部壁１７の前端同士を連結しており、上部１８ｂが側部壁１７の前端よりも上方側に延出するように構成されている。
【００２５】
また、前部壁１８の下部１８ａの上側部分から上部１８ｂにわたる部分は、前記枢軸２１の軸心を中心とする円弧状に形成され、該部分は、第１姿勢では、ガード壁７ｃを覆うように該ガード壁７ｃの前方側に位置し、且つ、前構成体７の左右の側壁７ａの上縁１０の形状に略沿うように上方に行くに従って後方に移行する傾斜状となっている。
また、前部壁１８の前面は、第２姿勢では、上下方向中央側から上下に行くに従って後方に移行する湾曲状となるように構成されており、第２姿勢において、前部壁１８が前方に大きく張り出さないようになっている。
【００２６】
また、脚載せ部材４の前部壁１８は、若干ではあるが、左右方向中央から左右方向の端部に行くに従って後方に移行する湾曲状に形成されている。
脚載せ部材４の前部壁１８の上部１８ｂは、第１姿勢においては、前記ガード壁７ｃの前方側に位置していると共に該ガード壁７ｃと前後方向に関してオーバーラップしており、第２姿勢においては、該前部壁１８の上端側がガード壁７ｃの下端の前方側に位置している。
【００２７】
すなわち、脚載せ部材４の前部壁１８は、第１姿勢と第２姿勢との両方において、ガード壁７ｃの下端側と脚載せ部材４の底部壁１６の前端側との間を前方側から覆うように構成されている。
これによって、幼児座席１を自転車の前部に装着して自転車を走行させているときにおいて、脚載せ部材４を第１姿勢・第２姿勢のいずれの姿勢にした状態であっても、ガード壁７ｃ下端と脚載せ部材４の底部壁の前端側との間から幼児座席１内に前方からの風が多量に吹き込んでくるのを防止することができる（幼児座席１を自転車の前部に装着すると共に脚載せ部材４を第２姿勢にして子供を乗せて自転車を走行させているときにおいて、ガード壁７ｃ下端と脚載せ部材４の底部壁１６の前端側との間から幼児座席１内に吹き込んでくる前方からの多量の風が幼児座席１に乗せた子供に当たるのを防止することができる、また、幼児座席１に乗せた子供の脚の保護を図ることもできる、または、第２姿勢にしたときにおいても、ガード壁７ｃ下端と脚載せ部材４の底部壁１６前端との間から子供の脚が出ないようになっている）。
【００２８】
また、前部壁１８は、下部１８ａの上側部分から上部１８ｂにかけて円弧状とされているので、前方からの風を円滑に後上方へとそらすことができ、自転車走行時の空気抵抗を減少させることができる。
また、ガード壁７ｃが後傾状とされ、且つ前構成体７の左右の側壁７ａの上縁１０が、側面視において、後端側からガード壁７ｃの上端にかけて、前方に行くにしたがって下方に移行する傾斜状に形成され、且つ、脚載せ部材４の前部壁１８の下部１８ａの上側部分から上部１８ｂにわたる部分が円弧状とされているので、自転車に搭乗している人の前下方の視界性がよいという利点も有する。
【００２９】
なお、軽量化を図るために脚載せ部材４の側部壁１７又は前部壁１８に小孔を複数形成してもよい。
本実施形態の幼児座席１にあっては、例えば、幼児座席１に乗せる子供が小さいとき又は幼児座席１を荷籠として使用する場合には脚載せ部材４を第１姿勢とし、乗せる子供が大きいときには脚載せ部材４を第２姿勢とする。
【００３０】
前記前構成体７の連結壁１５の前後方向中途部（連結壁１５の直線状部分の前端側）には、脚載せ部材４を第１姿勢にて該脚載せ部材４の第１姿勢からの下方揺動を不能とするようにロックするロック装置２６が設けられている。
このロック装置２６は、図６〜図１３に示すように、操作部材２７とバネ部材２８とロック部材２９とを有する。
【００３１】
前記操作部材２７は、ベース部３１と、このベース部３１の上面側に上方突出状に設けられた撮み部３２と、前記ベース部３１の下面側に下方突出状に設けられた規制部３３と、該規制部３３の下面から下方突出状に設けられた軸部３４とを有する。
ベース部３１は上下方向の軸心を有する円板状に形成され、撮み部３２は、ベース部３１の中心を横切るように該ベース部３１の直径方向に形成されている。
【００３２】
規制部３３は、平面視略長方形状のブロック状に形成され、ベース部３１の下面に凹設された円形状凹部３５内に没入状に設けられ、且つ、撮み部３２の長手方向中央部において平面視で撮み部３２と直交状となるように設けられている。
この規制部３３の長手方向両側の端面は、ベース部３１の中心を中心とする円弧状に形成されている。
【００３３】
軸部３４は、ベース部３１と同芯状の四角柱状に形成されており、一方の対向する二面が撮みの長手方向において対向するように設けられている。
この軸部３４の下端側には切欠嵌合部３６が設けられている。この切欠嵌合部３６は、前記規制部３３の長手方向に沿い且つ軸部３４の軸心を通る面と、軸部３４の軸心に直交する面とで段付き状に切欠き形成されてなる。
【００３４】
前記操作部材２７の中心には、撮み部３２の上面から軸部３４の下端にわたって貫通形成されたネジ挿通孔３７が形成されている。このネジ挿通孔３７は上部が中途部から下部に対して径大とされた段付き状に形成されている。
前記バネ部材２８は枠部３８と該枠部３８内に設けられた戻しバネ３９とを有する。
枠部３８は左右の側部３８ａと前後部３８ｂ，３８ｃとから平面視前後方向に長い略矩形状とされている。
【００３５】
戻しバネ３９は、枠部３８の前部３８ｂから後方に向けて蛇行状に延びるよう形成されていて前方に向けて押圧されて圧縮されることでバネ力が蓄積されるよう構成されている。
前記ロック部材２９は、平面視長方形状のブロック状に形成された本体部分４１（ロック本体という）と、このロック本体４１の上面側の長手方向中央側に設けられた上下方向の軸心を有する筒部４２とから構成されている。
【００３６】
ロック本体４１の上面は平坦状とされ、該ロック本体４１の下面とロック本体４１長手方向両側の端面との角部は、下方に行くに従ってロック本体４１長手方向中央側に移行する円弧状に形成されたガイド面４３とされている。
また、ロック本体４１の長手方向中央側には、下面から凹設されたナット収容凹部４４が形成されていると共にこのナット収容凹部４４から筒部４２の内部の孔４２ａに連通するネジ挿通孔４５が形成されている。
【００３７】
筒部４２の外面は円柱状に形成され、該筒部４２の内部の孔４２ａは操作部材２７の軸部３４の断面の外形状に略一致すると共に該軸部３４の下端側が内嵌可能な断面四角形の孔に形成されている。
この筒部４２の内部の底部には底面から上方に突出した嵌合突部４６が形成されている。この嵌合突部４６は、ロック本体４１の長手方向に沿い且つ筒部４２の軸心を通る面と、筒部４２の軸心に直交する面とから段付き状に形成されていて、前記操作部材２７の軸部３４下端側の切欠嵌合部３６に嵌合可能とされている。
【００３８】
前記操作部材２７とバネ部材２８とは、座席本体３の前構成体７の連結壁１５の上側に配置され、前記ロック部材２９は連結壁１５の下側に配置されている。
連結壁１５の上面側には、前記操作部材２７のベース部３１を前後方向に案内するガイド穴４７が凹設されている。
このガイド穴４７は前後が円弧状の前後方向に長い長円状に形成されており、このガイド穴４７にベース部３１の下部が前後移動可能で且つ軸心回りに回動可能で且つ左右移動不能に挿入されている。
【００３９】
このガイド穴４７の底面の左右方向中央側には、バネ部材２８の枠部３８の外形に略一致し且つ該枠部３８が内嵌可能なバネ部材収容溝４８が形成され、このバネ部材収容溝４８に戻しバネ３９が左右前後に移動不能に収容されている。
また、ガイド穴４７の底面には、バネ部材収容溝４８の左右両側に位置するストッパ４９が設けられている。
【００４０】
この左右のストッパ４９は、バネ部材収容溝４８の前後方向中央部よりもやや前方寄りに設けられ、規制部３３の左右両側に位置している。
また、左右のストッパ４９は前方に行くに従って左右間隔が漸次狭くなるように形成されていると共に、左右ストッパ４９の対向面は操作部材２７の回動を許容するように、規制部３３の長手方向両側の円弧面に対応する円弧状に形成されている。
【００４１】
また、左右ストッパの左右間隔は、規制部３３を、その長手方向を左右方向に一致させたときには該規制部３３の前方移動を規制し、規制部３３を、その長手方向を前後方向に一致させたときには該規制部３３の前方移動を許容する間隔に形成されている。
また、バネ部材収容溝４８の側面の長手方向中途部には、円弧状の逃がし溝５０が形成されている。この逃がし溝５０は、バネ部材収容溝４８の長手方向中央部よりもやや後方寄りに形成されている。
【００４２】
また、連結壁１５には、前記バネ部材収容溝４８の底面から連結壁１５の下面にかけて貫通形成された挿通孔５１が形成されている。この挿通孔５１は前後方向に長い長孔からなる。
前記軸部３４は、バネ部材２８の枠部３８を戻しバネ３９の後側で挿通していると共に、前記挿通孔５１を挿通し、且つ下端側がロック部材２９の筒部４２内に挿入されている。
【００４３】
軸部３４の一方の対向する二面はバネ部材２８の枠部３８の側部３８ａ内面に面接触していると共に、軸部３４の他方の対向する二面のうちの一面が戻しバネに接当している。これによって、操作部材２７の上下軸廻りの自由な回動が規制されている。
また、操作部材２７を上下軸廻りに強制的に回動させると、バネ部材２８の枠部３８の左右側部３８ａが軸部３４の角部に押圧されて逃がし溝５０内へと膨らむように弾性変形することにより、また同時に戻しバネ３９が軸部３４の角部に押圧されて圧縮することにより、操作部材２７の回動が許容される。
【００４４】
また、操作部材２７を９０°回動させると、バネ部材２８の枠部３８の左右側部３８ａが復元して、軸部３４の他方の対向する二面に面接触することにより、また、戻しバネ３９が軸部３４の該戻しバネ３９に対向する面に接当することにより、操作部材２７上下軸廻りの（回動方向の）位置決めがなされる。
また、軸部３４は前記挿通孔５１内を前後方向に移動自在とされている。
【００４５】
また、ロック部材２９の筒部４２内の底部に設けられた嵌合突部４６は、軸部３４の下端側に設けられた切欠嵌合部３６に嵌合しており、これによって、操作部材２７とロック部材２９とが上下方向の軸心回りに一体回動するように構成されている。
また、操作部材２７のネジ挿通孔３７及びロック部材２９のネジ挿通孔４５には、上方からネジ５２が挿通されると共に、該ネジ５２の下端側には、ロック部材２９のナット収容凹部４４に収容されたナット５３が螺合されている。これによって、操作部材２７とロック部材２９とが連結壁１５に組み付けられている。
【００４６】
一方、脚載せ部材４の底部壁１６の左右方向中央側に設けられた突出部２２には、脚載せ部材４の下面から上方に向けて凹設された凹部５４が形成されている。
この凹部５４の前部は前記ロック装置２６の下方側に位置しており、ロック部材２９の下方側には、前記凹部５４の底面５４ａから突出部２２の上面２２ａにかけて貫通形成された通孔５５が設けられている。
【００４７】
この通孔５５は前後方向に関して長い矩形状に形成されている。また、この通孔５５はロック本体４１の平面視形状より若干大きく形成され且つロック本体４１の平面視形状に略相似する矩形状に形成されている。したがって、通孔５５の真下にロック本体４１を長手方向を一致させて位置させることにより、ロック本体４１が通孔５５を通過可能とされている。
【００４８】
前記脚載せ部材４が第１姿勢の状態である場合、ロック部材２９のロック本体４１は通孔５５の下側に位置し、筒部４２が通孔５５を挿通するように構成されている。
なお、前記凹部５４は、本実施形態では前後方向に長く形成されているが、少なくともロック装置２６の下方側（ロック装置２６対応部分）に形成されていればよい（通孔５５を形成することができる程度に形成されていればよい）。
【００４９】
この通孔５５が形成される壁部５６（これを通孔形成壁という）の通孔５５の後方側が係止部５７とされている。この係止部５７の上部前端側（通孔形成壁５６の上面と通孔５５の後面との角部）は、前方に行くに従って下方に移行する円弧状に形成された接当面５８とされている。
また、通孔形成壁５６の下面（凹部５４の底面５４ａ）には、この係止部５７を補強すべく該係止部５７の左右両側に位置する補強リブ５９が設けられている。
【００５０】
前記構成のロック装置２６にあっては、前記ロック部材２９は、脚載せ部材４の第１姿勢からの下方揺動を不能とするように該脚載せ部材４を第１姿勢にてロックするロック位置と、該ロック位置から回動させることにより前記係止部５７に係合することで脚載せ部材４の第１姿勢からの下方揺動を規制する係止位置と、該係止位置からスライドさせることによりロック部材２９が前記係止部５７から外れて脚載せ部材４の第１姿勢からの下方揺動を許容するロック解除位置とに位置変更可能とされている。
【００５１】
脚載せ部材４が第１姿勢にある状態で且つロック部材２９がロック位置に位置している状態では、図６及び図７に示すように、該ロック部材２９は、その長手方向が左右方向に一致しており、平面視で通孔５５に対して直交状とされていることから、ロック部材２９が通孔５５を通過不能な状態とされている。これによって、脚載せ部材４が第１姿勢にてロックされている。
【００５２】
また、該ロック位置では、操作部材２７の軸部３４が戻しバネ３９によって後方に押圧されて、ベース部３１がガイド穴４７の後端位置に位置していると共に軸部３４が挿通孔５１の後端位置に位置している。さらに、規制部３３は長手方向が左右方向に一致するように位置していて、左右のストッパ４９によって前方移動が阻止されている。
これによってロック位置では、操作部材２７が前後に動かないようになっている。
【００５３】
また、ロック位置では、操作部材２７の撮み部３２は、その長手方向が前後方向に一致するようになっている。
このロック位置から撮み部３２を撮んで操作部材２７を左右一方に９０°回動させると、ロック部材２９が操作部材２７と一体回動して、図８及び図９に示す係止位置となる。
この係止位置では、ロック部材２９のロック本体４１は、その長手方向が前後方向と一致すると共に、ロック本体４１の長手方向の一端側（後端側）が係止部５７の下方側に位置し、該係止部５７がロック本体４１によって受持される。これによって、脚載せ部材４の第１姿勢からの下方揺動が規制される。
【００５４】
また、ロック部材２９が係止位置に位置する状態では、撮み部３２は長手方向が左右方向に一致する状態とされ、規制部３３は長手方向が前後方向に一致する状態とされる。
この係止位置から撮み部３２を押圧して操作部材２７を戻しバネ３９の付勢力に抗して前方にスライドさせると、ロック部材２９が操作部材２７と一体的に前方にスライドして、図１０及び図１１に示すロック解除位置となる。
【００５５】
このロック解除位置では、ロック部材２９のロック本体４１の長手方向の前記一端側が係止部５７から前方側に外れて、ロック本体４１が通孔５５の真下に位置する。すると、ロック部材２９（ロック本体４１）が通孔５５を通過可能な状態となり、脚載せ部材４の第１姿勢から第２姿勢への揺動が許容され、脚載せ部材４を第２姿勢とすることができる。
【００５６】
また、脚載せ部材４を第２姿勢から第１姿勢へと揺動させる場合にあっては、図８に示すように、ロック部材２９は戻しバネ３９によって係止位置に戻されているが、係止部５７の接当面５８がロック本体４１のガイド面４３に下方から接当して係止部５７がロック本体４１を押圧することにより、ロック部材２９が戻しバネ３９の付勢力に抗して前方（ロック解除位置側）へとスライドする。これによって、係止部５７の通過が許容されるので、脚載せ部材４を第２姿勢から第１姿勢へと揺動させることができる。
【００５７】
また、脚載せ部材４が第１姿勢になると（係止部５７が通過すると）、ロック部材２９が戻しバネ３９により係止位置に復帰して係止部５７がロック部材２９によって受持される。
この状態では、操作部材２７を前方にスライドさせると、脚載せ部材４が下方揺動する状態であるので、操作部材２７を回動操作してロック部材２９をロック位置にすることにより、脚載せ部材４を第１姿勢にてロックする。
【００５８】
このように、脚載せ部材４を第２姿勢から第１姿勢にする場合に、脚載せ部材４を揺動させる動作でロック部材２９が自動的に係止部５７に係合して脚載せ部材４の第１姿勢から第２姿勢への下方揺動が規制されるよう構成されているので、脚載せ部材４を第２姿勢から第１姿勢にして該脚載せ部材４をロック部材２９によってロックする操作を片手で行うことができる。
【００５９】
また、ロック部材２９をロック位置からロック解除位置にする場合、一旦、係止位置とされるので、脚載せ部材４がいきなり降下することもない。
なお、前記実施形態において、通孔５５を連結壁１５側（座席本体３側）に設け、ロック部材２９を脚載せ部材４側に設けてもよい。この場合、係止位置において係止部５７にロック部材２９が受持されるよう構成される。
【００６０】
また、脚載せ部材４を第１姿勢にしたときに、脚載せ部材４の前部壁１８を座席本体３の前構成体７のガード壁７ｃに弾性的に接当させるよう構成することによって、脚載せ部材４のガタツキ防止を図ることができる。
【符号の説明】
【００６１】
３    座席本体
４    脚載せ部材
９    側壁
７ｃ  ガード壁
１１    座部
１４    開口
１６    底部壁
１７    側部壁
１８    前部壁
１８ｂ  前部壁の上部
２１    枢軸
【図１】
0005405976.tif 000002
【図２】
0005405976.tif 000003
【図３】
0005405976.tif 000004
【図４】
0005405976.tif 000005
【図５】
0005405976.tif 000006
【図６】
0005405976.tif 000007
【図７】
0005405976.tif 000008
【図８】
0005405976.tif 000009
【図９】
0005405976.tif 000010
【図１０】
0005405976.tif 000011
【図１１】
0005405976.tif 000012
【図１２】
0005405976.tif 000013
【図１３】
0005405976.tif 000014